【事件の表示】
　特願２００５−３６９６１９「版の画像付けをする方法」拒絶査定不服審判事件〔平成１８年　７月　６日出願公開、特開２００６−１７８４７０〕について、次のとおり審決する。
【結　論】
　本件審判の請求は、成り立たない。
【理　由】
第１　手続の経緯
　本願は、平成１７年１２月２２日（パリ条約による優先権主張２００４年１２月２３日、独国）を出願日とする出願であって、平成２３年７月１９日付けで手続補正がなされ、その後、平成２４年１月６日付けで拒絶査定がされた。 
 　本件は、これを不服として、同年５月１７日に請求された拒絶査定不服審判であって、当審において、同年１０月１９日付けで拒絶の理由（最後）が通知され、これに対し、平成２５年１月２３日付けで意見書が提出されるとともに、手続補正がなされたものである。
　
第２　平成２５年１月２３日付けの手続補正についての補正の却下の決定
　［補正の却下の決定の結論］
　平成２５年１月２３日付けの手続補正（以下「本件補正」という。）を却下する。
　［理由］
１　補正の内容
　本件補正は、特許請求の範囲を補正するものであって、本件補正後の特許請求の範囲の請求項１は、本件補正前の特許請求の範囲の請求項７を、特許請求の範囲の限定的減縮を目的として下記の通りに補正したものである。
「【請求項１】
　第１の部分集合（３０）と第２の部分集合（３２）とを含む複数の光源（３０，３２）によって、間隔が最小の画点間隔（ｌ）よりも大きい複数の画点（２６）が多数の画像付けステップのうちの１つにおいて１列に版（２２）の上に生成され、このとき前記第１の部分集合（３０）によって画点の第１の部分列（５２）が生成されるとともに、前記第１の部分集合（３０）と同数の光源を有する第２の部分集合（３２）によって画点の第２の部分列（５８）が生成され、若干の画像付けステップにおいて、前記第１の部分集合（３０）の画点の少なくとも一部は時間的に先行する画像付けステップにおいて版（２２）の上に生成された前記第１の部分列（５２）の画点同士の間の位置に付けられ、前記第２の部分集合（３２）の画点の少なくとも一部は時間的に先行する画像付けステップにおいて版の上に生成された前記第２の部分列（５８）の画点同士の間の位置に前記列に沿って付けられる、多数の画像付けステップにおいて版（２２）の画像付けをする方法において、
　前記若干の画像付けステップの後、送り（ｔ）と他の画像付けステップが行われ、該他の画像付けステップでは、前記第１の部分集合（３０）の画点の少なくとも一部が、前記送り（ｔ）の方向に前記第２の部分列（５６）の端に位置する移行領域（４０）にある、前記の時間的に先行する画像付けステップに由来する前記第２の部分列（５６）の画点同士の間の位置に前記列に沿って付けられ、
　前記方法が画像付けモジュール（２０）上の複数の光源（３０，３２）によって実施されることを特徴とする、版の画像付けをする方法。」
　
　そこで、本件補正後の請求項１に係る発明（以下「本件補正発明」という。）が、平成１８年法律第５５号改正附則第３条第１項によりなお従前の例によるとされる同法による改正前の特許法（以下「平成１８年改正前特許法」という。）第１７条の２第５項において準用する同法第１２６条第５項の規定に適合するか、すなわち、特許出願の際独立して特許を受けることができるものであるか否かについて、以下検討する。
　
２　本件補正発明
　本件補正発明は、本件補正後の特許請求の範囲の第１項に記載された上記のとおりのものである。（「第２」［理由］「１」参照。）
　
３　引用刊行物
（１）引用刊行物１
　これに対して、当審における拒絶の理由で引用した、本願の優先日前である平成１４年１１月５日に頒布された「特開２００２−３２１３３３号公報 」（以下「引用例１」という。）には、次の事項が記載されている。ただし、下線は当審で付した。
ａ　発明の詳細な説明の記載
「【０００１】 
【発明の属する技術分野】本発明は、一般に、グラフィック技術、特に印刷技術や複製技術で使用される画像生成方法に関する。本発明は、特には、それぞれ独立請求項の前提項に記載の、少なくとも２つの画像付けモジュールによって版に画像付けをする方法および装置に関する。」 
「【００２７】版の画像付けをする本発明の方法および装置は、レーザ支援式の版の画像付けの分野での前述した用途以外にも、関連する印刷方法または複製方法の分野、たとえばレーザプリント技術、インクジェットプリント技術、あるいは火花放電の原理に依拠する印刷技術などの分野、ならびにゼロックス法またはこれに類似する方法に基づくコピー技術等でも、有利に適用可能であることを強調しておく。というのも、このような技術の場合でも、画像付け媒体は分散した画像付け源によって行ごとに画像付けされ、したがって前述したバンディングの現象がこのような場合でも生じ、印刷画像の品質に現われる、前述したような付随効果につながるからである。 
【００２８】 
【発明の実施の形態】次に、本発明の実施の形態について図面を参照して説明する。 
【００２９】ドイツ特許出願明細書１００３１９１５から流用した図１は、画像付けモジュールにおける、たとえばレーザダイオードなどのｎ個（ｎは自然数）の光源のアレイから出射されるｎ個の画点を投影するための典型的な幾何学配置を示している。画像付けモジュール１０は、たとえば光源１２としての、ｎ個の単ストライプレーザダイオードの、個別に制御可能なアレイで構成されている。この場合ｎは自然数２の累乗であるのが特に有利であり、すなわちｋが自然数のときｎ＝２kである。通常は、このような種類の有利な光源は最大１００個の単ストライプレーザダイオード、有利には２０個から７０個のレーザダイオードを有している。これらの単ストライプレーザダイオードは、通常は１×５μｍ2の大きさのエミッタ面を有しており、回折指数Ｍ2が低い有利なビーム品質でレーザ光を発する。アレイにおける個々のレーザダイオードの間隔は、通常１００から１０００マイクロメートルの間である。
【００３０】結像光学系１６によって、ｎ個の光線が、版１８の上でｎ個の画点１１０に結像される。版１８は、光線１４の焦点に位置しているのが好ましい。結像光学系１６によって、光線がその直径比率に関して（ｎ個の点で決まる軸に垂直および平行に）変えられるだけでなく、画点相互の間隔も修正されると特に有利である。換言すれば、ｎ個の画点１１０の光点サイズのみならず、その相互位置および間隔とがいずれも調整可能である。通常、個々の光源の間隔は一定であるが、有利な画像付けのためには、ｎ個の画点１１０の間隔ｌだけが一定であることが少なくとも必要である。
ｎ個の画点のｌは、印刷点の間隔ｐよりも大き
「【００３８】図２は、ドイツ特許出願明細書１００３１９１５に開示されている、版に書き込むためのＩＲＳ法を、個々の５つのレーザダイオードで同時に照射することによって同時に生成される５つの画点の例を用いて図示している。印刷点は、この図面では方眼として簡略化されて図示されている。それぞれの印刷点は、すでに述べたように、所与の画像データに応じて露光またはそのまま維持できるようにするために、レーザの画点によって少なくとも１回触れられなくてはならない。書き込まれるべき連続する行は、本例では、隙間なく相並んだ印刷点で構成されている。これらの印刷点の間隔はｐで示されている。 
【００３９】図２では、画像付けモジュール２０の、同時に書き込まれる印刷点のグループは、同じ間隔ｌを有する５つの画点でできている。第１の画像付けステップ２２では、５つの単位点が間隔ｌ＝３ｐで書き込まれる。次に、本例では５つの印刷点が同時に書き込まれるので、同時に生成される印刷点のグループが５つの単位点の分だけ、印刷点の軸で決まる方向へ、ここでは一例として右方へ移動するように、画像付けモジュール２０の移動が行われる。 
【００４０】第２の画像付けステップ２４では、再び５つの画点が、平行移動区間ｔだけ移動した後で置かれる。印刷点の軸で決まる方向へ５つの単位点の分だけの新たな移動が、平行移動区間ｔだけ、ここでは一例として右方へ反復して行われる。次の画像付けステップ２６で、あらためて５つの点が置かれる。このようなシーケンスから、
版に隙間なく書き込むことができる
【００４１】そして、同図の右側の端部にある５つの網点の画像付けがさらに行われると、まだ書き込まれていない網点とすでに書き込まれた網点の、同一の連続が生じる。同時に、完全に書き込まれている行の印刷点の割合は、次第に長くなる。 
【００４２】反復される画像付けステップ２８では、同様に、印刷点の間隔ｐを単位として測定したとき、この場合には８つの印刷点からなっている、大きさｒ1の開始縁と大きさｒ2の終端縁とを明らかに見ることができる。ここで強調すべきは、開始領域および終端領域に置かれている一定量の印刷点が、非単純連続の構成を有していることである。それと同時に本例でわかるように、開始縁ｒ1の、たとえば左から右へ数えたときの整然とした一定量の印刷点は、最終縁ｒ2における整然とした一定量の印刷点に対して相補的なパターンを有している。 
【００４３】アレイの個々の光源が機能を停止したときでも、提案されたＩＲＳ法を版の画像付けに使用することが可能である。特に、レーザビームのｎ個の画点の数と、隣接する２つの画点の間隔ｌとが、ｐを単位として測定したときに互いに素である場合、画像付け速度は最大になる。換言すれば、書き込まれるべきそれぞれの点がレーザビームの画点によって１回だけ触れられるように、ステップ幅を指定することが可能である。 
【００４４】同時に書き込まれる画点３０のグループで、１つまたは複数の単ストライプレーザダイオードに機能の不具合が起こった場合、ＩＲＳ法による書込みは相変わらず可能である。この場合には、等間隔をおいて隣接する画点を有する、グループの最大の部分が常に使用される。そのとき、連続する書込みを達成するために、ステップ幅も減らさなくてはならないのは当然である。このことは、自然数の特性に関して上に挙げた規則に基づいて行うのが好ましい。 
【００４５】ＩＲＳ法による版の画像付けは、隣接する画点の間隔ｌと、その個数ｎとの組み合わせがどうなっている場合でも可能である。ただし、連続的な版の書込みを達成するためには、適切なパラメータが選択される。１つの画点がなくなったときは、速度を落した画像付けが可能である。 
【００４６】版の画像付けをするための上述したＩＲＳ法には、多数のレーザビームが必要である。このようなレーザビームは、有利に用いられるレーザダイオードとは別のレーザ光源で生成することもできる。投影される個々の光源の間隔を変えるために、有利な発展例では、版が、ｎ個のレーザビームに対して垂直に位置する平面に対して、ゼロとは異なる角度だけ傾いていてもよい。」 
「【００４８】図４には、回転可能な胴の上にある版の画像付けが示されており、一例として第１の画像付けモジュール４０と第２の画像付けモジュール４１８が使用されている。ここでは版は第１の領域４１４と、移行領域４１６と、第２の領域４２６とに区分されている。 
【００４９】
第１の画像付けモジュール４０はｎ本の光線
を生成
【００５０】
第２の画像付けモジュール４１８はｎ本の光線
を生成
【００５１】連続的な画像付けをするために、版４８を有する胴４６は回転運動Ｂに回転し、第１の画像付けモジュール４０と第２の画像付けモジュール４１８は、運動方向Ａに胴４６に沿って平行移動する。送り速度は、光線４２または光線４２０の数によって、および印刷点の幅ｐによって決まる。螺旋状の経路で胴４６の対称軸４５を周回する画像付けが行われる。第１の画点４１０の経路は線４１２で図示されており、第２の画点４２２の経路は線４２４で図示されている。ｎ個の点の画像付けが終わった後、版４８と画点４１０または画点４２２の相対的な移動が、それぞれ画点４１０ないし画点４２２の線で決まる方向に直角なベクトル成分で、第１の特定の値だけ行われ、その結果、版４８の別の個所であらためてｎ個の点が書き込まれる。それにより、画点のいわゆる「走査線」が生じる。隣接する走査線のそれぞれ特定の間隔と、画点の個数ｎについて、ｎ個の画点で決まる軸に平行な必要な移動の第２の特定の値が算出されるので、連続的な画像付け、すなわち版４８の上でそれぞれ予定されている網点の画像付けが、後でさらに詳しく説明するインタリーフ走査線法（以下「ＩＲＳ法」と呼ぶ）によって可能である。 
【００５２】上記に代わる実施形態では、まず胴４６の対称軸４５に平行な線に沿って完全な画像付けを行い、次いで対称軸４５を中心に段階的に回転を行うことによって、画点４１０を版４８全体にわたってメアンダ状に移動させることもできる。 
【００５３】当然ながら、重要なのは画点４１０と版４８の間の相対運動だけである。この相対運動は、印刷胴４６の運動によって行う達成することもできる。平行移動Ａと回転Ｂの両方の運動方向については、これらの運動を連続的または段階的に行うことができる。
【００５４】さらに、少なくとも１つの画像付けモジュール、たとえば第１の画像付けモジュール４０が、光源４２、結像光学系４４等を有しながら、上記に代えて印刷胴４６の内部に設置されていてもよく、それによって省スペースな配置が実現する。 
【００５５】複数の画像付けモジュールを有するこのような画像付け装置は、版露光器、印刷ユニット、または印刷機の内部または外部に単独で、または複数で具体化することができる。 
【００５６】次に、図５を参照しながら、本発明によるバンディング現象の低減について説明する。図５は、付属する第１の画像付けモジュール５２の印刷点の行がある第１の領域５０と、第１の画像付けモジュールの印刷点の行の終端縁５４、および第２の画像付けモジュールの印刷点の行の開始縁５１２がある移行領域５６と、第２の画像付けモジュール５１０の印刷点の行がある第２の領域５８とを模式的に示している。単に図面を見やすくするために、図５では第１の画像付けモジュール５２の印刷点の行は、第２の画像付けモジュール５１０の印刷点の行に対して、画点の軸に直角な方向に間隔をあけて図示されている。 
【００５７】すでに前述した移行領域５６は、この一例としての場合では、８つの印刷点にわたって延びており、一例としての図２の場合に準じて、隣接する間隔ｌ＝３ｐをおいた５つの画点での画像付けと、平行移動区間ｔ＝５ｐ（ｐは印刷点の間隔）の分だけの移動とが行われる。 
【００５８】この場合、
第１の画像付けモジュールによって置かれた終端縁５４は、置かれている一定量の非単純連続の印刷点を有しており、第２の画像付けモジュールによって置かれた開始縁５１２は、終端縁５４の量に対して相補的な、置かれている一定量の非単純連続の印刷点を有している
【００５９】そして、終端縁５４における第１の画像付けモジュール５１０の印刷点の行によって、露光された印刷点の間にまだ印刷点を置くことのできる場所が、移行領域５６に設定される。しばしば調節に起因する誤差があるために、一般に、第２の画像付けモジュールは厳密にこの場所へ印刷点を置くのではなく、ずれまたは誤差が生じる。
重なり合った書込みによって
「連続的な」移行領域が生じる
【００６０】本発明の方法によって、および、本発明の装置で複数の画像付けモジュールを使用することによって、ストライプ状の第１の領域５０と第２の領域５８の間の、当初は先鋭であったエッジが解消され、開始領域５１２で第２の画像付けモジュールで置かれる印刷点の位置が、終端領域５４でまだ置かれていない印刷点の予定位置から外れることにつながる、第１および第２の画像付けモジュールの間のずれ、ないし調節誤差は、移行領域５６に相当するいっそう広い画像領域に分散され、それに伴って観察者の目には少なく見える。したがって、本発明は特に有利なやり方で、前述したバンディング現象を低減できる。」 
 　 
ｂ　図面の記載 
「【図２】 
 
　　　　　　　　　　　　　　　　　　　　　　　　　　　　　　　
　　　　　　　　　　　　　　　　　　　　　　　　　　　　　　　」 
「【図４】 
 
 　　　　　　　　　　　　　　　　　　　　　　　　　　　　」 
「【図５】 
 
  　　　　　　　　　　　　　　　　　　　　　　　　　　　　　」
　図２の画像付けの記載からして、
１列に並んだ５つの印刷点を書き込む画像付けモジュール２０により、第１の画像付けステップ２２では、５つの印刷点が生成され、第２の画像付けステップ２４では、第１の画像付けステップ２２で書き込まれた印刷点の間及びその右側に計５つの印刷点が生成され、次の画像付けステップ２６では、第１の画像付けステップ２２及び第２の画像付けステップ２４で書き込まれた印刷点の間及びその右側に計５つの印刷点が生成され
　図５の画像の記載からして、第１の画像付けモジュール４０によって置かれた終端縁５４に、終端側から印刷点、隙間、隙間、印刷点、隙間、印刷点、印刷点、隙間が列んでおり、第２の画像付けモジュール４１８によって置かれた開始縁５１２に、開始側から印刷点、隙間、隙間、印刷点、隙間、印刷点、印刷点、隙間が列んでいる画像が記載されている。 
　 
ｃ　引用例１の図面の記載の考察 
　引用例１の図５に記載された画像は、第１の画像付けモジュール４０によって置かれた終端縁５４、及び、第２の画像付けモジュール４１８によって置かれた開始縁５１２の画像が、引用例１の図２に記載された反覆される画像付けステップ２８による画像の、それぞれ終端縁及び開始縁の画像と全く同じであり、また、これらの画像はいずれもＩＲＳ法で画像付けされたものである。（引用例１の【００３８】、【００５１】参照。） 
　したがって、引用例１の図５に記載された画像は、
第１の画像付けモジュール４０及び第２の画像付けモジュール４１８のそれぞれ
画像付けを行うことにより生成
　 
ｄ　引用例１記載の発明 
　上記ａ及びｂの記載事項並びに上記ｃの考察によると、引用例１には、以下の発明（以下「引用発明」という。）が記載されていると認められる。
「ｎ本の光線を生成する第１の画像付けモジュール４０及びｎ本の光線を生成する第２の画像付けモジュール４１８のそれぞれよって印刷点を生成する方法であって、 
ｎ個の画点の間隔ｌは、印刷点の間隔ｐよりも大きく、
１列に並んだ５つの印刷点を書き込む画像付けモジュールにより版に書き込むにあたり、
第１の画像付けステップ２２では、５つの印刷点が生成され、 
第２の画像付けステップ２４では、第１の画像付けステップ２２で書き込まれた印刷点の間及びその右側に計５つの印刷点が生成され、
次の画像付けステップ２６では、第１の画像付けステップ２２及び第２の画像付けステップ２４で書き込まれた印刷点の間及びその右側に計５つの印刷点が生成され、 
第１の画像付けモジュール４０によって置かれた終端縁５４及び第２の画像付けモジュール４１８によって置かれた開始縁５１２は相補的な、非単純連続の印刷点を有しており、
これらが重なり合った書込みによって「連続的な」移行領域が生じる方法。」 
 　 
（２）引用刊行物２ 
 　また、当審における拒絶の理由で引用した、本願の優先日前である平成９年５月６日に頒布された「特開平９−１１８０１６号公報 」（以下「引用例２」という。）には、次の事項が記載されている。 
ａ　発明の詳細な説明の記載 
「【０００１】
【発明の属する技術分野】本発明は、ラスタ・プリンタによるプリント方法、特に、多数のノズルから転写面又はプリント媒体にプリント走査線（プリントした走査線）を形成するインク滴をインターレースして、プリント品質を改善すると共にプリント・アーティファクトを最小とし、隣接するインターレース画像（インターレースした画像）を結合して大きなインターレース画像、即ち複合インターレース画像を形成するプリント方法に関する。」 
「【００２１】プリンタ２０内のプリンタ・ドライバ２４は、データ源からのデータを受け、これに応答してプリント・エンジン２６の動作を制御する。この制御には、フォーマット化されたデータをプリント・ヘッド２８に供給することや、図２に示すように、キャリッジ・サーボ３２が制御するキャリッジ３０の動きがある。モータ３４は、軸の周りで転写ドラム３６を回転させる。プリンタ・ドライバ２４からの制御データを受けるモータ制御器４０がモータ３４を制御する。
【００２２】プリント・ヘッド２８は、転写ドラム３６上に画像をプリントする。プリント媒体（図示せず）であるシート用の画像を転写ドラム３６上に完全にプリントした後、このシートを転写ドラム３６に接触させて、この転写ドラムに置いた（デポジットした）画像をシートに転写する。」
「【００４７】インターレース比ｎが２より大きい場合に、インターレース画像のエッジをプリントする際に注意をしなければならない。図７は、ノズル相互間の距離Ｎが１０で、インターレース比ｎが４：１の場合のインターレース画像のエッジを示す。
【００４８】行（Ａ）は、プリント・ヘッド２８のノズル４６の総ての列４４を用いたプリント結果である。各円は、画像の走査線を表し、これら円に含まれる数字は、走査線を形成するインク滴をプリントする列４４の番号である。プリント・ヘッド２８は、プリント期間中にＸ軸方向に傾いている。図示の如く、インターレース画像をプリントするノズル４６の最も左の列４４が「１」を含む走査線をプリントする。第１走査期間中には走査線１００、１０１、１０２及び１０３がプリントを行い、第２走査期間中は走査線１０４、１０５、１０６及び１０７がプリントを行い、以下同様である。インターレース画像の大部分は、行（Ａ）に示す走査線の右に延びる。
【００４９】その結果のインターレース画像は、走査線１１２まで、ギャップ１１０を有し、完全には埋まらない（塗りつぶされない）。プリントの開始において、ギャップ１１０を含むプリント領域を、本明細書における説明のために単に「ヘッド」１２０と名付ける。プリントした画像において、ヘッド１２０内のギャップ１１０は、通常許容できないと思われる。これらギャップを避けるために、インターレース画像の最も左のエッジを走査線１１２に割り当て、走査線１１２の左の走査線をプリントしない。
【００５０】プリント・ヘッド２８の他端において、同様な状況が生じ、その結果、図７に示すように「テール」１３０となる。行（Ｂ）は、テール１３０を示し、インターレース画像の大部分が左に延びる。テール１３０においてギャップ１３２を避けるために、インターレース画像の最も右のエッジは、走査線１３４を越さない。
【００５１】図８は、完全に埋まった領域１４２を示すＸ軸に沿ったインターレース画像１４０の簡略化した図である。ヘッド１４４及びテール１４６は、傾斜として簡単に表す。プリント・ヘッド２８の出力を走査線１４８及び１５０の間に制限することにより、このギャップを避けることができる。
【００５２】再び図７を参照する。ヘッド１２０のギャップ１１０がテール１３０のプリントされた走査線と完全に一致することが判る。「組合わさった」インターレース画像（複合インターレース画像）は、ヘッド１２０及びテール１３０の夫々を重ね合わせることにより、２つの「コンポーネント」インターレース画像からインタリーブ、即ち、「縫い合わせ（stitch）」されたものとなる。
【００５３】図９は、２つのコンポーネント・インターレース画像を一緒に縫い合わせて、幅広い組合せのインターレース画像を簡略的に表す。本発明により、テール１６２を有する第１コンポーネント・インターレース画像をプリントし、プリント・ヘッド２８をテール１６２の初め１６３に移動し、そのヘッド１６６が縫い合わさるように第２コンポーネント・インターレース画像をプリントして、プリント・ヘッド２８よりも大幅に広い組合せインターレース画像のプリントを達成できる。この結果により組合わさった画像である複合インターレース画像を、第１コンポーネント画像１６０内の第１走査線１６８及び第２コンポーネント画像１６４内の第２走査線１７０の間に割り当てることができる。この組合わさった画像は、第１走査線１６８及び第２走査線１７０の間で利用できる完全な幅である必要がない。
【００５４】第２コンポーネント・インターレース画像１６４のヘッド１６６をプリントするノズルの列は、プリント・ヘッド２８の端部に隣接する必要がないことが理解できよう。所望の組合せインターレース画像の幅は、プリント・ヘッド２８がプリント可能な単一のコンポーネント・インターレース画像の最大幅の２倍よりも小さい場合、組み合わせた画像のエッジのプリントに適応させるために、プリント・ヘッド２８をコンポーネント画像のプリントの間で十分に移動させることのみが必要である。第２コンポーネント・インターレース画像１６４をプリントする際に、ノズル４６の総ての列４４を使用することはない。所望ならば、これらヘッド及びテールを画像の中心にて重ね合うように、第１及び第２コンポーネント画像の両方の幅を減少させる。」 
 　 
ｂ　図面の記載 
「【図７】 
 
 　　　　　　　　　　　　　　　　　　　　　　　　　　　　　　　　」 
「【図９】 
 
 　　　　　　　　　　　　　　　　　　　　　　　　　　　　　　　　」 
 　 
４　本件補正発明と引用発明の対比
　ここで、本件補正発明と引用発明とを対比する。  
（１）引用発明の「第１の画像付けモジュール４０」及び「第２の画像付けモジュール４１８」は、それぞれ本件補正発明の「複数の光源」の「第１の部分集合」及び「第２の部分集合」に相当する。
　そうすると、引用発明の「ｎ本の光線を生成する第１の画像付けモジュール４０及びｎ本の光線を生成する第２の画像付けモジュール４１８のそれぞれよって印刷点を生成する方法」は、本件補正発明の「第１の部分集合（３０）」と「第１の部分集合（３０）と同数の光源を有する」「第２の部分集合（３２）とを含む複数の光源（３０，３２）によって、」「版の画像付けをする方法」に相当する。
 　 
（２）引用発明の「ｎ個の画点の間隔ｌは、印刷点の間隔ｐよりも大き」い構成は、本件補正発明の「画点（２６）」の「間隔が最小の画点間隔（ｌ）よりも大きい」構成に相当する。
 　 
（３）引用発明の「第１の画像付けステップ２２」及び「第２の画像付けステップ２４」は、いずれも「第１の画像付けモジュール４０及び」「第２の画像付けモジュール４１８のそれぞれ」により、「１列に並んだ５つの印刷点を」「版に書き込む」ものであり、また、引用発明の「第１の画像付けステップ２２」及び「第２の画像付けステップ２４」において、「第１の画像付けモジュール及び」「第２の画像付けモジュールのそれぞれ」により生成された「５つの印刷点」は、それぞれ本件補正発明の「画点の第１の部分列（５２）」及び「画点の第２の部分列（５８）」に相当する。
　そうすると、引用発明の「第１の画像付けモジュール４０及び」「第２の画像付けモジュール４１８のそれぞれによって」、「１列に並んだ５つの印刷点を書き込む画像付けモジュールにより版に書き込むにあたり、」「５つの印刷点が生成され」る「第１の画像付けステップ２２」及び「第１の画像付けステップ２２で書き込まれた印刷点の間及びその右側に計５つの印刷点が生成され」る「第２の画像付けステップ２４」は、本件補正発明の「１列に版（２２）の上に生成され、このとき前記第１の部分集合（３０）によって画点の第１の部分列（５２）が生成されるとともに、」「第２の部分集合（３２）によって画点の第２の部分列（５８）が生成され」る「多数の画像付けステップ」に相当する。
 　 
（４）引用発明の「第１の画像付けモジュール４０及び」「第２の画像付けモジュール４１８のそれぞれによって」、「版に書き込むにあたり、」「第１の画像付けステップ２２及び第２の画像付けステップ２４で書き込まれた印刷点の間及びその右側に計５つの印刷点が生成」される「次の画像付けステップ２６」は、本件補正発明の「第１の部分集合（３０）の画点の少なくとも一部は時間的に先行する画像付けステップにおいて版（２２）の上に生成された前記第１の部分列（５２）の画点同士の間の位置に付けられ、前記第２の部分集合（３２）の画点の少なくとも一部は時間的に先行する画像付けステップにおいて版の上に生成された前記第２の部分列（５８）の画点同士の間の位置に前記列に沿って付けられる」「若干の画像付けステップ」に相当する。 
 　 
（５）引用発明は、「第１の画像付けステップ２２」、「第２の画像付けステップ２４」及び「次の画像付けステップ２６」により、「印刷点を」「版に書き込む」方法であるから、「多数の画像付けステップにおいて版（２２）の画像付けをする方法」であるといえる。
 　 
　上記（１）〜（５）の点から、本件補正発明と引用発明は、 
「第１の部分集合（３０）と第２の部分集合（３２）とを含む複数の光源（３０，３２）によって、間隔が最小の画点間隔（ｌ）よりも大きい複数の画点（２６）が多数の画像付けステップのうちの１つにおいて１列に版（２２）の上に生成され、このとき前記第１の部分集合（３０）によって画点の第１の部分列（５２）が生成されるとともに、前記第１の部分集合（３０）と同数の光源を有する第２の部分集合（３２）によって画点の第２の部分列（５８）が生成され、若干の画像付けステップにおいて、前記第１の部分集合（３０）の画点の少なくとも一部は時間的に先行する画像付けステップにおいて版（２２）の上に生成された前記第１の部分列（５２）の画点同士の間の位置に付けられ、前記第２の部分集合（３２）の画点の少なくとも一部は時間的に先行する画像付けステップにおいて版の上に生成された前記第２の部分列（５８）の画点同士の間の位置に前記列に沿って付けられる、多数の画像付けステップにおいて版（２２）の画像付けをする方法。」 
で一致し、以下（１）及び（２）の点で相違する。 
 　 
（相違点） 
（１）本件補正発明は、若干の画像付けステップの後、送り（ｔ）と他の画像付けステップが行われ、他の画像付けステップでは、第１の部分集合（３０）の画点の少なくとも一部が、送り（ｔ）の方向に第２の部分列（５６）の端に位置する移行領域（４０）にある、時間的に先行する画像付けステップに由来する第２の部分列（５６）の画点同士の間の位置に前記列に沿って付けられるのに対し、引用発明は、そのような特定がない点。
　
（２）画像付け方法を実施する複数の光源が、本件補正発明は、画像付けモジュール上のものであるのに対し、引用発明は、第１の画像付けモジュール４０及び第２の画像付けモジュール４１８である点。
　
５　当審の判断
　以下、上記（１）及び（２）の相違点について検討する。
（１）の相違点について
　大幅に広い組み合わせ画像をプリントするために、テール１６２（本件補正発明における「移行領域（４０）にある」「画点の第２の部分列（５８）」に相当。）を有する画像をプリントした後、プリンタヘッド２８をテール１６２の初めに移動（本件補正発明における「送り（ｔ）」に相当。）し、さらにプリントを行う点が、引用例２（特に、【００４８】〜【００５３】、図７、９を参照。）に記載されている。
　そして、引用発明は、「第１の画像付けモジュールによって置かれた終端縁５４及び第２の画像付けモジュールによって置かれた開始縁５１２は相補的な、非単純連続の印刷点を有しており、これらが重なり合った書込みによって「連続的な」移行領域が生じる」ものであって、第１の画像付けモジュール及び第２の画像付けモジュールによって生成される印刷点は同じものであるから、第１の画像付けモジュールによって置かれた開始縁及び第２の画像付けモジュールによって置かれた終端縁も同様に、相補的な非単純連続の印刷点を有することは明らかである。
　また、ドットを用いた画像付けの技術において、より鮮明な画像を得るためにより多くの印刷点を画像付けしようとすることは自明の課題であって引用発明も有する課題であるといえる。
　そして、より多くの印刷点を画像付けしようとすれば、当然、幅の広い画像付けが必要となるから、引用発明において、幅の広い画像付けを行うために、引用例２記載の発明を適用し、次の画像付けステップ２６の後に、送りと他の画像付けステップを行い、他の画像付けステップでは、第１の部分集合の画点の少なくとも一部が、送りの方向に第２の部分列の端に位置する移行領域にある、時間的に先行する画像付けステップに由来する第２の部分列の画点同士の間の位置に前記列に沿って付けるようにすることは、当業者が容易になしえたことである。
（２）の点について
　引用例１には、「第１の画像付けモジュール４０と第２の画像付けモジュール４１８は、運動方向Ａに胴４６に沿って平行移動する」（【００５１】）と記載されている。
　そして、一般に、平行移動する２つのものを別体で移動させるよりも一体で移動させた方がよいことは、動作の正確性等からみて明らかである。
　したがって、引用発明において、第１の画像付けモジュール４０と第２の画像付けモジュール４１８を一体化して１つの画像付けモジュールとして構成し、上記相違点（２）に係る本件補正発明の発明特定事項を得ることは、当業者が適宜なし得た設計的事項である。
　上記相違点（１）及び（２）については上記のとおりであり、本件補正発明によってもたらされる効果は、引用発明及び引用例２記載の発明から当業者が当然に予測できる範囲内のものと認められる。
　よって、本件補正発明は、引用発明及び引用例２に記載された発明に基いて、当業者が容易に発明をすることができたものである。
　
６　本件補正についての補正の却下の決定のむすび
　以上のとおり、本件補正は、平成１８年改正前特許法第１７条の２第５項において準用する同法第１２６条第５項の規定に違反するものであるから、同法第１５９条第１項において読み替えて準用する同法第５３条第１項の規定により却下すべきものである。
　
第３　本願発明について
１　本願発明
　平成２５年１月２３日付けの手続補正は上記のとおり却下されたので、本件出願の請求項１に係る発明（以下「本願発明」という。）は、平成２３年７月１９日付けの手続補正により補正された特許請求の範囲の請求項１に記載されたとおりの以下のものである。
「【請求項１】
　複数の光源（３０，３２）によって、間隔が最小の画点間隔（ｌ）よりも大きい複数の画点（２６）が多数の画像付けステップのうちの１つにおいて１列に版（２２）の上に生成され、このとき前記複数の光源の第１の部分集合（３０）によって画点の第１の部分列（５２）が生成されるとともに第２の部分集合（３２）によって画点の第２の部分列（５８）が生成され、若干の画像付けステップにおいて、前記第１の部分集合（３０）の画点の少なくとも一部は時間的に先行する画像付けステップにおいて版（２２）の上に生成された前記第１の部分列（５２）の画点同士の間の位置に付けられ、前記第２の部分集合（３２）の画点の少なくとも一部は時間的に先行する画像付けステップにおいて版の上に生成された前記第２の部分列（５８）の画点同士の間の位置に前記列に沿って付けられる、多数の画像付けステップにおいて版（２２）の画像付けをする方法において、
　前記若干の画像付けステップの後、送り（ｔ）と他の画像付けステップが行われ、該他の画像付けステップでは、前記第１の部分集合（３０）の画点の少なくとも一部が、前記送り（ｔ）の方向に前記第２の部分列（５６）の端に位置する移行領域（４０）にある、前記の時間的に先行する画像付けステップに由来する前記第２の部分列（５６）の画点同士の間の位置に前記列に沿って付けられることを特徴とする、版の画像付けをする方法。」
　
２　引用刊行物及び引用発明
　当審における拒絶の理由で引用した、本願の優先日前に頒布された刊行物及びその記載事項、ならびに引用発明は、上記「第２」［理由］「３」に記載したとおりである。
　
３　本願発明と引用発明の対比及び判断
　本願発明は、本件補正発明の発明特定事項である「複数の光源（３０，３２）」の「第２の部分集合（３２）」に関し、「複数の光源（３０，３２）」の「第１の部分集合（３０）と同数の光源を有する」構成、及び、本件補正発明の発明特定事項である「版の画像付けをする」「方法が画像付けモジュール（２０）上の複数の光源（３０，３２）によって実施される」構成を省いたものである。
　したがって、本願発明の発明特定事項を全て含み、さらに、上記構成で限定した本件補正発明が、上記「第２」［理由］「５」に記載したとおり、引用発明及び引用例２に記載された発明に基いて、当業者が容易に発明をすることができたものであるから、本願発明も同様の理由により、引用発明及び引用例２に記載された発明に基いて、当業者が容易に発明をすることができたものである。
 　 
４　むすび
　以上のとおり、本願発明は、引用発明及び引用例２に記載された発明に基いて、当業者が容易に発明をすることができたものであるから、特許法第２９条第２項の規定により特許を受けることができない。
　したがって、その余の請求項に係る発明について言及するまでもなく、本願は拒絶すべきものである。
　よって、結論のとおり審決する。